(57)【要約】      （修正有）【課題】被験者に貼り付けた脳磁計用マーカーの位置と脳波電極の位置を、被験者が寝た状態（仰臥位）で同時にデジタイズできる脳磁計の検査テーブルを実現する。【解決手段】ヘッドレスト１２を具備する脳磁計の検査テーブルにおいて、網目状のヘッドレスト１２を具備したことを特徴とする脳磁計の検査テーブルである。網目ヘッドレスト１２を使用することにより、後頭部の脳波電極の位置も、網目ヘッドレスト１２の間からデジタイズ測定することが可能となるため、同じ状態でマーカーコイルの位置と後頭部の脳波電極の位置を同時にデジタイズ測定をすることが可能となる。【選択図】図１
2012055514.tif 000002
【特許請求の範囲】
【請求項１】
ヘッドレストを具備する脳磁計の検査テーブルにおいて、
網目状のヘッドレスト
を具備したことを特徴とする脳磁計の検査テーブル。
【請求項２】
前記ヘッドレストは、平面状であること
を特徴とする請求項１記載の脳磁計の検査テーブル。
【発明の詳細な説明】
【技術分野】
【０００１】
本発明は、脳磁計の検査テーブルに関するものである。
更に詳述すれば、脳磁計の検査において、脳波の検査も容易な脳磁計の検査テーブルに関するものである。
【背景技術】
【０００２】
図３は従来より一般に使用されている従来例の要部構成説明図で、（ａ）は正面図、（ｂ）は側面図、（ｃ）は平面図である。
図において、脳磁計の検査テーブル本体１には、人体の頭部Ａを載せるヘッドレスト２が配置されている。ヘッドレスト２は、枕の形態をなし、後頭部を覆って塞いでいる。
【０００３】
脳磁計を用いた検査（例えば、てんかん検査）では、同時に脳波の計測も行うことが多い。
また、計測された脳磁データ、及び脳波データはさまざまな解析用ソフトウエアに用いられる。この場合、脳磁計のセンサ位置情報、脳磁計用マーカー位置情報、及び脳波電極の位置情報も用いることとなる。
【０００４】
その為、脳磁計と脳波計での同時検査時には脳磁計用マーカーの位置だけでなく脳波電極の位置をデジタイズして位置情報として取得する必要がある。
従来技術では、脳磁計用マーカーの位置と脳波電極の位置とを同時にデジタイズする場合には、椅子に座った状態（座位）で同時にデジタイズを行っている。
これは、寝た状態（仰臥位）だと、ヘッドレスト２が被験者の後頭部を覆っていて、被験者の後頭部に貼り付けた脳波電極を脳磁計用マーカーと同時にデジタイズできないためである。
【０００５】
図４は、デジタイザ測定方法についての説明図である。
図において、トランスミッタ５は、人体の頭部Ａに配置され、微弱な磁場を発生する。
トランスミッタ５は、測定基準となるもので、微弱な磁場を発生させてこのトランスミッタの位置を基準点（ｘ，ｙ，ｚ）＝（０，０，０）としている。
【０００６】
測定ユニット６は、内臓レシーバにより、トランスミッタ５との相対的な位置情報の測定ができる。
ある測定点の測定は、トランスミッタ５基準での、測定点のｘ座標、ｙ座標、ｚ座標の値を取得できる。
【０００７】
図５は、脳磁計で使用されるマーカーコイルの貼付け位置の説明図である。
マーカーコイル７は、図５のように、人体の頭部Ａの額中心１点、額左右２点、及び左右耳の耳介前点２点の計５点の位置に貼り付けられる。
【０００８】
図６は、脳波計で使用される脳波電極貼付け位置の説明図である。
脳波電極８は、図６のように、国際法１０−２０法、及び拡張１０−２０法で規定された位置に貼り付けられる。
この脳波電極８を貼り付けた状態で、脳磁計の検査ベッドに寝て脳波電極位置とマーカーコイル７を同時にデジタイズしている。
【０００９】
しかしながら、図７に示す如く、従来の検査テーブルでは、後頭部を覆うヘッドレスト２があるため、後頭部の脳波電極８については、ヘッドレスト２の裏から測定することは不可能であるため、寝た同じ状態でマーカーコイル７の位置と頭部全ての脳波電極８の位置を同時に測定することは不可能である。
【００１０】
また、後頭部の脳波電極８の位置をデジタイズ測定する場合には、被験者の頭部Ａを左右に動かしてデジタイズ測定する必要があるが、この場合、固定しているトランスミッタ５が動いてしまう可能性もあり、高精度にデジタイズ同時測定ができない。
【先行技術文献】
【特許文献】
【００１１】
【特許文献１】特開平１０−０９９３２４号公報
【発明の概要】
【発明が解決しようとする課題】
【００１２】
このような装置においては、以下の問題点がある。
図３従来技術では、被験者に貼り付けられた脳磁計用マーカーと脳波電極を同時にデジタイズする座位状態と、脳磁計測を行う仰臥位状態とではそれぞれ被験者の皮膚の弛みなどの状態が異なる為、測定誤差が大きくなりやすい。
解析用ソフトウエアで使用する場合の脳磁計用マーカー位置情報、及び脳波電極の位置情報もこの誤差を含んだものとなってしまう。
【００１３】
本発明の目的は、上記の課題を解決するもので、被験者に貼り付けた脳磁計用マーカーの位置と脳波電極の位置を、被験者が寝た状態（仰臥位）で同時にデジタイズできる脳磁計の検査テーブルを提供することにある。
【課題を解決するための手段】
【００１４】
このような課題を達成するために、本発明では、請求項１の脳磁計の検査テーブルにおいては、
ヘッドレストを具備する脳磁計の検査テーブルにおいて、網目状のヘッドレストを具備したことを特徴とする。
【００１５】
本発明の請求項２の脳磁計の検査テーブルにおいては、請求項１記載の脳磁計の検査テーブルにおいて、
前記ヘッドレストは、平面状であることを特徴とする。
【発明の効果】
【００１６】
本発明の請求項１によれば、次のような効果がある。
本発明の検査テーブルでは、網目ヘッドレストを使用することにより後頭部の脳波電極位置も網目ヘッドレストの間からデジタイズ測定することが可能となるため、同じ状態でマーカーコイル位置と後頭部の脳波電極位置を同時にデジタイズ測定をすることが可能となる。
【００１７】
この場合、被験者の後頭部の脳波電極を測定するときに被験者の頭部を左右に動かす必要がなくなるので、固定しているトランスミッタが動いてしまうこともなく、高精度なデジタイズ測定が出来る脳磁計の検査テーブルが得られる。
【００１８】
本発明の請求項２によれば、次のような効果がある。
ヘッドレストは、網目状で且つ平面状であるので、被験者の頭部にストレスをかけることなく寝た状態を長時間保つことができ、また、脳波電極位置を容易に確認出来、脳波電極位置を確実に安定して測定することができる脳磁計の検査テーブルが得られる。
【図面の簡単な説明】
【００１９】
【図１】本発明の一実施例の要部構成説明図である。
【図２】図１の動作説明図である。
【図３】従来より一般に使用されている従来例の要部構成説明図である。
【図４】デジタイザ測定方法についての説明図である。
【図５】脳磁計で使用されるマーカーコイルの貼付け位置の説明図である。
【図６】脳波計で使用される脳波電極貼付け位置の説明図である。
【図７】図３の動作説明図である。
【発明を実施するための形態】
【００２０】
以下本発明を図面を用いて詳細に説明する。
図１は本発明の一実施例の要部構成説明図で、（ａ）は正面図、（ｂ）は側面図、（ｃ）は平面図である。
図２は図１の動作説明図で、（ａ）は正面図、（ｂ）は側面図である。
図において、図３と同一記号の構成は同一機能を表す。
以下、図３との相違部分のみ説明する。
【００２１】
図１において、脳磁計の検査テーブル本体１１には、人体の頭部Ａを載せる網目状のヘッドレスト１２が配置されている。
この場合は、ヘッドレスト１２は平面状で布状をなしている。
【００２２】
以上の構成において、図２に示す如く、トランスミッタ５が人体の頭部Ａに配置される。
測定ユニット６により、マーカーコイル７の位置、及び被験者頭部の脳波電極８の位置をデジタイズ測定する。
【００２３】
この結果、本発明の脳磁計の検査テーブル本体１１では、網目ヘッドレスト１２を使用することにより、後頭部の脳波電極８の位置も、網目ヘッドレスト１２の間からデジタイズ測定することが可能となるため、同じ状態でマーカーコイル７の位置と後頭部の脳波電極８の位置を同時にデジタイズ測定をすることが可能となる。
【００２４】
この場合、被験者の後頭部の脳波電極８を測定するときに、被験者の頭部Ａを左右に動かす必要がなくなるので、固定されているトランスミッタ５が動いてしまうこともなく、高精度なデジタイズ測定が出来る脳磁計の検査テーブルが得られる。
【００２５】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【符号の説明】
【００２６】
１      脳磁計の検査テーブル本体
２      ヘッドレスト
５      トランスミッタ
６      測定ユニット
７      マーカーコイル
８      脳波電極
１１    脳磁計の検査テーブル本体
１２    ヘッドレスト
Ａ      人体の頭部
【図１】
2012055514.tif 000003
【図２】
2012055514.tif 000004
【図３】
2012055514.tif 000005
【図４】
2012055514.tif 000006
【図５】
2012055514.tif 000007
【図６】
2012055514.tif 000008
【図７】
2012055514.tif 000009